(57)【要約】【課題】  ユーザの利便性を向上させる。【解決手段】  複数の機能を有する携帯電話機１００であって、各機能ごとの機能名が記憶される機能名記憶部１０２と、ユーザデータが記憶されるユーザデータ記憶部１０４と、検索ワードを入力可能な操作部１０６と、操作部１０６により入力された検索ワードに対応する機能名及びユーザデータを、機能名記憶部１０２及びユーザデータ記憶部１０４から検索する検索部１０８と、検索部１０８の検索により抽出された機能名とユーザデータとを一括して表示画面に表示させる一括表示部１１０と、を具備した。【選択図】  図１
2006211527.tif 000002
【特許請求の範囲】
【請求項１】
複数の機能を有する携帯電話機であって、
各機能ごとの機能名が記憶される機能名記憶部と、
ユーザデータが記憶されるユーザデータ記憶部と、
検索ワードを入力可能な操作部と、
前記操作部により入力された前記検索ワードに対応する前記機能名及び前記ユーザデータを、前記機能名記憶部及び前記ユーザデータ記憶部から検索する検索部と、
前記検索部の検索により抽出された前記機能名と前記ユーザデータとを一括して表示画面に表示させる一括表示部と、を具備したことを特徴とする携帯電話機。
【請求項２】
前記検索部により検索された前記機能名及び前記ユーザデータのうち、前記機能名を前記表示画面に表示させる機能名表示部と、
前記検索部により検索された前記機能名及び前記ユーザデータのうち、前記ユーザデータを前記表示画面に表示させるユーザデータ表示部と、
前記操作部からの入力に応じて、前記表示画面による表示状態を、前記一括表示部による表示と、前記機能名表示部による表示と、前記ユーザデータ表示部による表示と、に選択的に切り換える表示切換部と、を具備したことを特徴とする請求項１に記載の携帯電話機。
【請求項３】
前記操作部からの入力に応じて、前記検索部により検索される前記機能名又は前記ユーザデータの範囲を設定する検索範囲設定部を具備したことを特徴とする請求項１または２に記載の携帯電話機。
【請求項４】
前記機能名記憶部には、少なくとも１つの機能について複数の機能名が記憶されることを特徴とする請求項１から３のいずれか一項に記載の携帯電話機。
【請求項５】
前記一括表示部は、表示された前記機能名及び前記ユーザデータが前記機能名と前記ユーザデータのいずれであるかを示すアイコンを表示することを特徴とする請求項１から４のいずれか一項に記載の携帯電話機。
【請求項６】
前記一括表示部は、前記機能名と前記ユーザデータを異なる色彩で表示することを特徴とする請求項１から５のいずれか一項に記載の携帯電話機。
【請求項７】
前記ユーザデータは電話帳に関するデータを含むことを特徴とする請求項１から６のいずれか一項に記載の携帯電話機。
【請求項８】
前記ユーザデータはインターネットアドレス及びメールアドレスの少なくとも一方に関するデータを含むことを特徴とする請求項１から７のいずれか一項に記載の携帯電話機。
【請求項９】
前記ユーザデータは音楽ファイル、画像ファイル、映像ファイル及びアプリケーションファイルの少なくとも１つに関するデータを含むことを特徴とする請求項１から８のいずれか一項に記載の携帯電話機。
【発明の詳細な説明】
【技術分野】
【０００１】
本発明は、携帯電話機に関する。
【背景技術】
【０００２】
従来から、携帯電話機では、ユーザが所望の機能を実行する際に、表示画面上で機能を選択して、当該機能を起動する必要がある。近年、携帯電話機の機能が多様化したため、ユーザは多段階の階層にわたって構成されたメニューをたどって機能を選択しなければならない。ここで、各機能にはメニュー番号が対応づけられており、ユーザはメニュー番号を入力することにより速やかに機能を選択することができるが、メニュー番号を記憶していない限り、ユーザは煩雑な選択作業を強いられることとなる。
【０００３】
この問題点を解消すべく、所定のキーワードを各機能と関連づけておき、ユーザによりキーワードが入力されると、各機能名を表示画面に表示させる携帯電話機が知られている（例えば、特許文献１参照。）。特許文献１に記載の携帯電話機では、各キーワードと各機能の関連づけを定義する検索テーブルがユーザの操作により更新されるよう構成されている。
【特許文献１】特開２００４−２７４３４６号公報
【発明の開示】
【発明が解決しようとする課題】
【０００４】
ところで、前記携帯電話機では、電話番号、メールアドレス、インターネットアドレス等のユーザデータの検索作業と、機能名の検索作業とは別作業となる。前述のように携帯電話機は多様化の一途をたどっており、ユーザは欲する情報を、ユーザデータで検索すればよいのか、機能名で検索すればよいのかを的確に判断することは困難である。すなわち、ユーザが検索する情報について正確に認識していない場合や、携帯電話機に不慣れな場合などは、ユーザデータと機能名の検索を二度行うことがあった。また、機能名を検索した後、当該機能と関連するインターネットアドレスと接続する場合などは、あらためてユーザデータを検索することとなり、これもまた二度手間となるのでユーザにとって不便である。
【０００５】
本発明は、前記事情に鑑みてなされたものであり、ユーザの利便性を向上させた携帯電話機を提供するものである。
【課題を解決するための手段】
【０００６】
上記問題を解決する本発明によれば、複数の機能を有する携帯電話機であって、各機能ごとの機能名が記憶される機能名記憶部と、ユーザデータが記憶されるユーザデータ記憶部と、検索ワードを入力可能な操作部と、前記操作部により入力された前記検索ワードに対応する前記機能名及び前記ユーザデータを、前記機能名記憶部及び前記ユーザデータ記憶部から検索する検索部と、前記検索部の検索により抽出された前記機能名と前記ユーザデータとを一括して表示画面に表示させる一括表示部と、を具備したことを特徴とする携帯電話機が提供される。
【０００７】
この携帯電話機においては、ユーザにより操作部から検索ワードが入力されると、検索部により検索ワードに対応する機能名及びユーザデータが機能名記憶部及びユーザデータ記憶部から検索される。そして、抽出された機能名及びユーザデータが一括表示部により表示画面に表示される。
これにより、ユーザは、検索ワードに係る一度の検索作業で、検索ワードに対応する機能名とユーザデータの両方の情報を、一括して把握することができる。
【０００８】
従って、ユーザが検索する情報について正確に認識していない場合や携帯電話機に不慣れな場合であっても、一度の検索作業で携帯電話機に記憶されている殆どの情報を把握することができ、検索についての利便性を格段に向上させることができる。
【０００９】
また、機能名を検索するとともに、当該機能と関連するユーザデータを用いて外部と接続等する場合は、あらためてユーザデータを検索する必要はなく、この点においても利便性が向上する。
【発明の効果】
【００１０】
このように、本発明の携帯電話機によれば、ユーザの利便性を向上させることができる。
【発明を実施するための最良の形態】
【００１１】
図面を参照しつつ、本発明による携帯端末の好適な実施形態について詳細に説明する。尚、図面の説明においては、同一要素には同一符号を付し、重複する説明を省略する。
【００１２】
図１は本発明の一実施形態を示す携帯電話機の機能ブロック図である。
図１に示すように、この携帯電話機１００は、複数の機能を有する携帯電話機１００であって、各機能ごとの機能名が記憶される機能名記憶部１０２と、ユーザデータが記憶されるユーザデータ記憶部１０４と、検索ワードを入力可能な操作部１０６と、操作部１０６により入力された検索ワードに対応する機能名及びユーザデータを、機能名記憶部１０２及びユーザデータ記憶部１０４から検索する検索部１０８と、検索部１０８の検索により抽出された機能名とユーザデータとを一括して表示画面２０２に表示させる一括表示部１１０と、を具備している。
【００１３】
さらに、この携帯電話機１００は、検索部１０８により検索された機能名及びユーザデータのうち、機能名を表示画面２０２に表示させる機能名表示部１１２と、検索部１０８により検索された機能名及びユーザデータのうち、ユーザデータを表示画面２０２に表示させるユーザデータ表示部１１４と、操作部１０６からの入力に応じて、表示画面２０２による表示状態を、一括表示部１１０による表示と、機能名表示部１１２による表示と、ユーザデータ表示部１１４による表示と、に選択的に切り換える表示切換部１１６と、を具備している。
さらにまた、携帯電話機１００は、操作部１０６からの入力に応じて、検索部１０８により検索される機能名又はユーザデータの範囲を設定する検索範囲設定部１１８を具備している。
【００１４】
図２は、携帯電話機の概略構成ブロック図である。
この携帯電話機１００は電話機本体として筐体（図示せず）を有し、図２に示すように、筐体表面に露出する複数の操作キー２０４及び液晶の表示画面２０２を有している。すなわち、各操作キー２０４によりユーザからの入力が受け付けられ、表示画面２０２によりユーザに対して必要な情報を提供する。また、筐体には外部と無線通信するためのアンテナ２０６と、外部の光学像を取得するためのカメラ２０８と、が設置される。表示画面２０２は表示制御部２１０に、各操作キー２０４は操作入力部２１２に、アンテナ２０６は送受信部２１４に、カメラ２０８は撮像部２１６にそれぞれ接続される。
【００１５】
また、この携帯電話機１００は、ＣＰＵ２１８、ＲＯＭ２２０、ＥＥＰＲＯＭ２２１、ＲＡＭ２２２等が設けられ、これらはバス２２４により表示制御部２１０、操作入力部２１２、送受信部２１４、撮像部２１６等と接続されている。
【００１６】
ＣＰＵ２１８は、ＲＯＭ２２０に記憶されたソフトウェアを実行することで、バス２２４に接続された各構成部を総括的に制御する。すなわち、ＣＰＵ２１８は、所定の処理シーケンスに従って、各プログラムをＲＯＭ２２０から読み出して実行することにより、機能名及びユーザデータの検索を行う。また、ＲＯＭ２２０には、各機能ごとの機能名が記憶されている。
【００１７】
機能名記憶部１０２としてのＲＯＭ２２０には、少なくとも１つの機能に複数の機能名が記憶されている。具体的には、カメラ２０８による動画を取得する機能については、「ビデオ」と「ムービー」の機能名が付けられている。すなわち、いずれの機能名で検索しても、動画を取得する機能にたどりつくこととなる。
【００１８】
また、図２に示すように、ＥＥＰＲＯＭ２２１には、各ユーザデータが記憶される。本実施形態においては、ユーザデータは、電話番号データと、メールアドレスデータと、インターネットアドレスデータと、音楽ファイルデータと、画像ファイルデータと、映像ファイルデータと、アプリケーションファイルデータと、を含んでいる。ここで、ユーザデータは、ユーザが各操作キー２０４を用いてＲＯＭ２２０に登録したものであってもよいし、外部からダウンロードして登録したものであってもよい。
【００１９】
電話番号データは、個人名、法人名等の登録名と電話番号が対応づけられたデータである。メールアドレスデータは、個人名、法人名等の登録名とアドレスが対応づけられたデータである。インターネットアドレスデータは、いわゆる「ブックマーク」等を含み、サイト名等の登録名とＵＲＬ（Uniform Resource Locator）が対応づけられたデータである。音楽ファイルデータ、画像ファイルデータ、映像ファイルデータは、タイトル名等の登録名とファイルが対応づけられたデータである。アプリケーションファイルデータは、アプリケーション名等の登録名とファイルが対応づけられたデータである。本実施形態においては、ＥＥＰＲＯＭ２２１に記憶されるユーザデータは、これらのデータに分類されて登録されている。
【００２０】
また、ＲＡＭ２２２にはＣＰＵ２１８が各プログラムを実行する上で一時的に必要とされるプログラム、データが格納される。
【００２１】
ＲＯＭ２２０には、各操作キー２０４の操作により入力された検索ワードに対応する機能名及びユーザデータをＲＯＭ２２０から検索するための検索プログラムと、この検索により抽出された機能名及びユーザデータを一括して表示画面２０２に表示させるためのプログラムと、が記憶されている。すなわち、検索部１０８及び一括表示部１１０は、ＣＰＵ２１８、ＲＯＭ２２０、ＲＡＭ２２２を含んで構成される。
【００２２】
図３は、検索部により抽出された機能名及びユーザデータが一括表示された表示画面の平面図である。
図３に示すように、機能名及びユーザデータを一括表示する際に、ユーザデータについては登録名を表示するようになっている。そして、表示された機能名及びユーザデータが機能名とユーザデータのいずれであるかを示すアイコンが表示される。本実施形態においては、ユーザデータについては分類ごとに異なるアイコンが割り当てられており、登録名とともにアイコンが表示されるようになっている。また、機能名は分類されておらず、機能名については全て同じアイコンが割り当てられている。
【００２３】
本実施形態においては、図３に示すように、機能名及びユーザデータが縦に並べて表示される。そして、各行の左側にアイコンが表示され、右側に機能名またはユーザデータの登録名が表示されるようになっている。
【００２４】
また、抽出された機能名及びユーザデータが大量に存在し、一度に表示画面２０２に表示しきれない場合は、機能名及びユーザデータを複数のページに割り当て、ユーザによる所定の操作によりページを切り換えて表示するようになっている。この場合、複数のページに跨って機能名及びユーザデータを一括表示することとなり、機能名またはユーザデータのみが表示されるページが存在することもあり得る。
【００２５】
また、ＲＯＭ２２０には、抽出された機能名及びユーザデータのうち機能名を表示画面２０２に表示させるための機能名表示プログラムと、抽出された機能名及びユーザデータのうちユーザデータを表示画面２０２に表示させるためのユーザデータ表示プログラムと、が記憶されている。すなわち、機能名表示部１１２及びユーザデータ表示部１１４は、ＣＰＵ２１８、ＲＯＭ２２０、ＲＡＭ２２２を含んで構成される。
【００２６】
また、ＲＯＭ２２０には、各操作キー２０４の入力に応じて、表示画面２０２による表示状態を、機能名とユーザデータ一括表示と、機能名のみの表示と、ユーザデータのみの表示と、に選択的に切り換えるための表示切換プログラムが記憶されている。すなわち、表示切換部１１６は、ＣＰＵ２１８、ＲＯＭ２２０、ＲＡＭ２２２を含んで構成される。本実施形態においては、ユーザデータについては、分類ごとにも切り換えて表示されるようになっている。
【００２７】
さらにまた、ＲＯＭ２２０には、検索プログラムにより検索される機能名又はユーザデータの範囲を設定するための検索範囲設定プログラムが記憶されている。すなわち、検索範囲設定部１１８は、ＣＰＵ２１８、ＲＯＭ２２０、ＲＡＭ２２２を含んで構成される。本実施形態においては、検索範囲設定部１１８は、検索するユーザデータの範囲を、分類ごとに設定するようになっている。
【００２８】
以上のように構成された携帯電話機１００における機能名及びユーザデータの検索処理について図４のフローチャートを参照して説明する。尚、初期状態として、ユーザデータの検索範囲は、電話番号データ、インターネットアドレスデータ、音楽ファイルデータ及びアプリケーションファイルデータに設定されているものとする。
【００２９】
ユーザにより検索モードへの移行操作がなされると、表示画面２０２に検索画面が表示されて（ステップＳ１）、操作部１０６からの検索ワードを受付可能な状態となる。そして、ユーザにより検索ワードが入力されると（ステップＳ２）、検索範囲設定部１１８により設定された範囲の機能名及びユーザデータから検索ワードに対応するものを検索する（ステップＳ３）。
【００３０】
続いて、表示画面２０２に検索範囲を追加するか否かの表示を行い、ユーザからの入力を受け付ける（ステップＳ４）。このとき、検索範囲の追加する操作が行われた場合は（ステップＳ４：Yes）、検索範囲を追加し（ステップＳ５）、ステップＳ３へ進んで再度検索を行う。検索範囲の追加がない場合は（ステップＳ４：No）、図３に示すように、検索により抽出された機能名及びユーザデータを、表示画面２０２に五十音順で一括表示する（ステップＳ６）。
【００３１】
図３には、検索ワードを「か」として検索したものを示す。図３に示すように、機能名として「カメラ」及び「画面設定」が表示され、電話番号データとして「上條」、「亀田」、「川崎」及び「川村」が表示され、インターネットアドレスデータとして「価格サイト」が表示され、アプリケーションファイルデータとして「カーレース」及び「カラオケアプリ」が表示されている。
【００３２】
この後、表示画面を切り換える旨の操作入力があると、機能名及びユーザデータの一括表示から、機能名のみの表示またはユーザデータのみの表示に切り換えられる。具体的には、各操作キー２０４のうち、右キーが押圧されると、機能名の表示、電話番号データの表示、メールアドレスデータの表示、インターネットアドレスデータの表示、音楽ファイルデータと画像ファイルデータと映像ファイルデータの表示、アプリケーションファイルデータの表示、の順に表示画面２０２の表示内容が切り換えられる。アプリケーションファイルデータがされた状態でさらに右キーが押圧されると、機能名及びユーザデータの一括表示へ戻る。なお、左キーの押圧ではこの逆の順で表示画面２０２の表示内容が切り換えられる。
【００３３】
本実施形態においては、ユーザデータの検索範囲が、電話番号データ、インターネットアドレスデータ、音楽ファイルデータ及びアプリケーションファイルデータに設定されているので、これらの表示内容で切り換えられる。ここで、表示されている各機能名及びユーザデータのいずれか１つを表示画面２０２上で選択可能となっている。図３には、アプリケーションファイルデータの登録名「カーレース」にカーソルが移動された状態が示されている。このカーソルは操作キー２０４の上キー及び下キーの操作により上下に移動し、決定キーを操作することで所望の機能名またはユーザデータを選択することができるようになっている。
【００３４】
そして、ユーザにより機能名が選択されると（ステップＳ７）、この機能名に対応する機能を実行する（ステップＳ８）。また、ユーザによりユーザデータが選択されると（ステップＳ７）、ユーザデータを用いる機能を実行する（ステップＳ８）。具体的に、選択されたユーザデータが電話番号データである場合はこの番号に電話をかけ、インターネットアドレスデータである場合はこのアドレスのＵＲＬをインターネットブラウザで開き、メールアドレスデータである場合はこのアドレスを送信先としたメール作成モードへ移行する。また、ユーザデータが音楽ファイルデータ、画像ファイルデータ、映像ファイルデータ等である場合は、これらの音楽、画像、映像を再生する。また、ユーザデータがアプリケーションファイルデータである場合は、このアプリケーションを起動する。
【００３５】
このように、本実施形態の携帯電話機１００によれば、ユーザにより操作部１０６から検索ワードが入力されると、検索部１０８により検索ワードに対応する機能名及びユーザデータが機能名記憶部１０２及びユーザデータ記憶部１０４から検索される。そして、抽出された機能名及びユーザデータが一括表示部１１０により表示画面２０２に表示される。
これにより、ユーザは、検索ワードに係る一度の検索作業で、検索ワードに対応する機能名とユーザデータの両方の情報を、一括して把握することができる。
【００３６】
従って、ユーザが検索する情報について正確に認識していない場合や携帯電話機１００に不慣れな場合であっても、一度の検索作業で携帯電話機１００に記憶されている殆どの情報を把握することができ、検索についての利便性を格段に向上させることができる。
【００３７】
また、機能名を検索するとともに、当該機能と関連するユーザデータを用いて外部と接続等する場合は、あらためてユーザデータを検索する必要はなく、この点においても利便性が向上する。
【００３８】
また、本実施形態の携帯電話機１００によれば、機能名及びユーザデータの一括表示から、機能名のみの表示またはユーザデータのみの表示に切り換えられるようにしたので、ユーザは一括表示された情報が機能名とユーザデータのいずれかであるのかを把握することができる。特に本実施形態においては、メールアドレスデータ、インターネットアドレスデータ等のようなユーザデータの内容に応じて細かく切り換えられるようにしたので、ユーザにとっては使い勝手がよいものとなっている。
【００３９】
また、本実施形態の携帯電話機１００によれば、検索範囲設定部１１８により、検索される機能名又はユーザデータの範囲が設定されるようにしたので、ユーザは明らかに検索対象から外すべき分類のユーザデータを除いて検索することができる。これにより、検索をより的確且つ効率よく行うことができ、実用に際して極めて有利である。
【００４０】
また、本実施形態の携帯電話機１００によれば、少なくとも１つの機能について複数の機能名が記憶されるようにしたので、ユーザは容易に所望の機能を検索して起動させることができる。
【００４１】
尚、前記実施形態においては、ユーザデータに、電話番号データと、インターネットアドレスデータと、メールアドレスデータと、音楽ファイルデータと、画像ファイルデータと、映像ファイルデータと、アプリケーションファイルデータと、が含まれているものを例示したが、これらのデータが全て含まれていなくともよいし、他の種類のデータが含まれていてもよい。
【００４２】
また、前記実施形態においては、ユーザデータについて検索範囲に設定したり表示を切り換えたりするものを示したが、機能名についても検索範囲の設定、表示の切換をするようにしてもよい。この場合、機能名についてもユーザデータと同様に、複数の属性に分類し、各属性ごとに検索範囲の設定や表示の切換を行うようにすると、ユーザにとって使い勝手がよい。
【００４３】
また、前記実施形態においては、検索範囲設定部１１８により設定されている範囲で機能名及びユーザデータを検索するものを示したが、例えば検索処理時にユーザに検索範囲を選択させるようにしてもよい。例えば、検索ワードを入力した後、機能名及びユーザデータについて、分類ごとに検索範囲に含めるか否かをユーザに入力させた後、検索範囲に含める旨の入力操作が行われた分類について抽出結果を一括表示させるようにしてもよい。さらに、ユーザが検索結果を確認した後、検索範囲を変更して再度同じ検索ワードで検索可能なよう構成してもよい。
【００４４】
また、前記実施形態においては、機能名とユーザデータを五十音順に表示させるものを示したが、分類別に表示させるようにしてもよい。また、一括表示される機能名とユーザデータは、分類別にアイコンがともに表示されるものを示したが、分類別に異なる色彩で表示されるようにしてもよいし、その他、具体的な細部構造等についても適宜に変更可能であることは勿論である。
【図面の簡単な説明】
【００４５】
【図１】本発明の一実施形態を示す携帯電話機の機能ブロック図である。
【図２】携帯電話機の概略構成ブロック図である。
【図３】検索部により抽出された機能名及びユーザデータが一括表示された表示画面の平面図である。
【図４】検索処理の動作を示すフローチャートである。
【符号の説明】
【００４６】
１００        携帯電話機
１０２        機能名記憶部
１０４        ユーザデータ記憶部
１０６        操作部
１０８        検索部
１１０        一括表示部
１１２        機能名表示部
１１４        ユーザデータ表示部
１１６        表示切換部
１１８        検索範囲設定部
２０２        表示画面
２０４        操作キー
２０６        アンテナ
２０８        カメラ
２１０        表示制御部
２１２        操作入力部
２１４        送受信部
２１６        撮像部
２１８        ＣＰＵ
２２０        ＲＯＭ
２２１        ＥＥＰＲＯＭ
２２２        ＲＡＭ
２２４        バス
【図１】
2006211527.tif 000003
【図２】
2006211527.tif 000004
【図４】
2006211527.tif 000005
【図３】
2006211527.tif 000006